(57)【特許請求の範囲】
【請求項１】
映像表示装置において、
視聴者の存在または不在を検出するための人感センサ部と、該人感センサ部によって視聴者の不在が検出された場合に、前記映像表示装置を映像の表示または再生を停止するための所定モードに移行するように制御する制御部とを備え、
前記制御部は、前記映像表示装置の起動後、所定時間内に、前記人感センサ部により視聴者の不在が検出され、かつ視聴者の操作により発生する信号が前記制御部に入力された場合、前記人感センサ部が故障したと判定し、前記所定モードへの移行を行わないようにする
ことを特徴とする映像表示装置。
【請求項２】
請求項１に記載の映像表示装置において、前記制御部は、前記人感センサ部が故障したと判定した場合は、該故障を示すメッセージを画面上に表示することを特徴とする映像表示装置。
【請求項３】
請求項１に記載の映像表示装置において、更に発光部を備え、前記制御部は、前記人感センサ部が故障したと判定した場合は、前記発光部の点灯を制御することを特徴とする映像表示装置。
【請求項４】
請求項１に記載の映像表示装置において、前記人感センサ部の故障履歴が記憶されるメモリを更に備えることを特徴とする映像表示装置。
【請求項５】
請求項１に記載の映像表示装置において、前記人感センサ部による所定モードへ移行するための動作を行うか否か選択可能であり、前記人感センサ部が故障したと判定した場合は前記所定モードへ移行するための動作を行う選択が不可とされることを特徴とする映像表示装置。
【請求項６】
請求項１に記載の映像表示装置において、前記所定モードへ移行後に、前記人感センサ部により視聴者の不在が検出され、かつ視聴者の操作により発生する信号が前記制御部に入力された場合は、前記所定モードを解除して前記人感センサ部が故障したと判定することを特徴とする映像表示装置。
【請求項７】
映像表示装置において、
聴者の存在または不在を検出するための人感センサ部と、該人感センサ部によって視聴者の不在が検出された場合に、前記映像表示装置を映像の表示または再生を停止するための所定モードに移行するように制御する制御部とを備え、
前記制御部は、前記映像表示装置の起動の際に、前記人感センサ部により視聴者の不在が検出された場合、前記人感センサ部が故障したと判定し、前記所定モードへ移行しないように制御する
ことを特徴とする映像表示装置。
【請求項８】
人を検出するための人感センサ部が視聴者の不在を検出した場合に、映像の表示または再生を停止するための所定モードに移行するように構成された映像表示装置の制御方法であって、
前記映像表示装置の起動後、所定時間内に、前記人感センサ部により視聴者の不在が検出され、かつ視聴者の操作により発生する信号が入力された場合、前記人感センサ部が故障したと判定し、前記所定モードへの移行を行わないようにする
ことを特徴とする映像表示装置の制御方法。
【発明の詳細な説明】
【技術分野】
【０００１】
本発明は、例えばテレビジョン表示装置などの映像表示装置に関し、特に、人を検出す
るための人感センサ部を用いて映像の表示を制御するための構成を備えた映像表示装置、
及びその映像表示装置の制御方法に関するものである。
【背景技術】
【０００２】
近年、例えばテレビジョン表示装置などの映像表示装置には、人を検出するための人感センサ部が搭載され、この人感センサ部により映像表示装置近傍に視聴者の存在の有無を検出して映像表示を制御することで、省電力化や使い勝手の向上が図られてきている。
【０００３】
例えば、特許文献１には、人感センサ部が視聴者の不在を検知すると画面を消画し、この状態で所定時間経過すると音声も消して省電力化を図ることが開示されている。
【０００４】
また特許文献２には、コンテンツの再生中に人感センサ部（検知手段）が視聴者の不在を検知すると再生を一時停止し、視聴者が戻ってきたことを検知すると再生を再開し、使い勝手を向上させることが開示されている。
【先行技術文献】
【特許文献】
【０００５】
【特許文献１】特開２００６−２５３９８１号公報
【特許文献２】特開２００１−８４６６２号公報
【発明の概要】
【発明が解決しようとする課題】
【０００６】
上記特許文献１及び２に記載の映像表示装置は、人感センサ部視聴者の不在を検出した場合に映像表示や映像コンテンツの再生を停止するモード（以下、これを「視聴者不在モード」と呼ぶ）に移行するものであるが、人感センサ部が故障した場合について、何ら考慮されていない。
【０００７】
例えば、上記特許文献１に記載の映像表示装置においては、人感センサ部が故障して人を検出できない状態で使用すると、人感センサ部は、映像表示装置近傍に視聴者が存在するにも関わらず視聴者は不在と検出してしまうため、視聴中に突然画面が消えてしまったり、また映像が表示されなかったりするという問題がある。また、上記特許文献２に記載の映像表示装置においては、人感センサ部が故障して人を検出できない状態で使用すると、視聴中に突然再生が一時停止してしまったり、またコンテンツが再生できなかったりするという問題がある。このように、視聴者不在モードを有する映像表示装置において、人感センサ部が故障した場合は映像の視聴ができなくなる恐れがあり、使い勝手が大きく損なわれる場合がある。
【０００８】
本発明は、上記従来技術の課題に鑑みて為されたものであり、人感センサ部を備えた映像表示装置において、人感センサ部を利用した視聴者不在モードに係る使い勝手を向上させるのに好適な技術を提供するものである。
【課題を解決するための手段】
【０００９】
本発明は、特許請求の範囲に記載された構成を特徴とするものである。より詳細には、人感センサ部の故障を判定し、人感センサ部の故障が判定された場合は上記視聴者不在モードへ移行することを防止することを特徴とするものである。
【００１０】
また本発明は、映像表示装置に備えられた人感センサ部からの出力信号（検出出力）の周波数が０で、かつ映像表示装置の操作部やリモコンに対する操作に基づく信号生じたときに、人感センサ部の故障と判定することを特徴とする。
【発明の効果】
【００１１】
上記本発明の構成によれば、人感センサ部の故障を考慮して更に使い勝手を向上させた映像表示装置を提供することができる。
【図面の簡単な説明】
【００１２】
【図１】本発明の第１実施例に係る映像表示装置のブロック図。
【図２】本発明の第１実施例における人感センサ部の故障診断処理を示すフローチャート。
【図３】映像表示装置における不在モードの処理の一例を示す図である。
【図４】本発明の第２実施例における人感センサ部の故障診断処理を示すフローチャート。
【発明を実施するための形態】
【００１３】
以下、本発明の実施形態について、図面を参照しながら説明する。尚、出現する構成要素のうち同一機能或いは構成を有するものには同じ番号を付し、重複した説明を省略するものとする。
【実施例１】
【００１４】
図１は、本実施形態の映像表示装置１００の一構成例を示すブロック図である。
【００１５】
本実施例に係る映像表示装置１００は、例えばチューナ１０７で受信したデジタルテレビジョン放送信号を例えば液晶パネル等の表示部１１０に表示するためのテレビジョン表示装置であり、人を検出するための人感センサ部１０１を備えている。
【００１６】
人感センサ部１０１は、例えば表示部１１０の映像表示面の外周部に設けられており、表示部１１０の映像表示面側の所定範囲（例えば表示部１１０の水平方向中心から±５０°で前方５ｍ以内の範囲）を検出領域とし、この検出領域内の人（視聴者）を検出することで映像表示装置１００の近傍に人（視聴者）が存在するか否かを検出するものである。かかる検出動作を可能とする人感センサ部１０１として、本実施例では、熱源移動検知型センサを用いるものとする。この熱源移動検知型センサは、検出領域内における人体（熱源）の動きに応じた信号を出力するものである。すなわち、人感センサ部１０１は、熱源である人体が動くと大きな信号波形を出力し、人体が検出領域に存在しない場合は、熱源の動きがないため、０に近い信号波形を出力する。人感センサ部１０１から出力される信号は、制御部であるＣＰＵ１０５に入力される。人感センサ部１０１からの出力信号に基づくＣＰＵ１０５の処理については後述するものとする。
【００１７】
操作部１０２は、映像表示装置１００に設けられており、電源ＯＮ／ＯＦＦボタン、チャンネル切替ボタン、音量調整ボタンなどの操作ボタンを含んでいる。操作部１０２は、操作された操作ボタンに応じた信号をＣＰＵ１０５に出力する。また本実施例では、操作部１０２以外に図示しないリモコンで映像表示装置１００を遠隔操作可能にされており、リモコン受信部１０３は、該リモコンから発せられる信号（例えば赤外線信号）を受信してＣＰＵ１０５に出力する。
【００１８】
メモリ１０６は、ＣＰＵ１０５によって使用するプログラムや、人感センサ部１０１からの出力信号（以下、「センサ値」と呼ぶ）などを保存するために使用される。チューナー１０７は、操作部１０２またはリモコンへの操作によって選局されたチャンネルのデジタルテレビジョン放送信号（映像コンテンツ）を受信し復調する。チューナー１０７により受信され復調された放送信号（映像コンテンツ）は、映像処理部１０８によって復号・伸張処理（例えばデジタルテレビジョン放送信号がＭＰＥＧ２方式により圧縮符号化されている場合はＭＰＥＧ２方式による復号・伸張処理）、画質補正、画素数変換処理（スケーリング処理）及び／またはフレームレート変換処理され、表示部１１０に表示される。このとき、ＯＳＤ作成部１０９によって作成された種々のメッセージを、合成部１１１により映像処理部１０８で各種処理が為された映像コンテンツに合成して表示することもできる。
【００１９】
記録部１０４は、例えばハードディスクや半導体メモリ、光学式ディスク等で構成されており、チューナー１０７で受信した放送信号（映像コンテンツ）などを記録するものである。記録部１０４に記録された番組コンテンツは、操作部１０２またはリモコンへの再生操作によって再生され、映像処理部１０８によって上述した映像処理された後に表示部１１０に表示される。
【００２０】
チューナー１０７の選局動作や、記録部１０４、映像処理部１０８のＯＳＤ作成部１０９の制御、更には表示部１１０への映像表示制御（表示部１１０への電源供給制御）、音声出力制御等は、操作部１０２またはリモコンに対する操作、録画予約等で設定された所定のシーケンス、及び／または人感センサ部１０１の検出結果に従ってＣＰＵ１０５によって行われる。
【００２１】
人感センサ部１０１は、上記したように熱源の移動を検出するセンサであり、その検出領域を、表示部１１０の視聴領域とほぼ一致させることにより、視聴者の存在または不在を検出することができる。この人感センサ部１０１の検出結果を用いてＣＰＵ１０５により表示部１１０や記録部１０４を制御することで、消費電力の削減し、使い勝手を向上させることができる。例えば、映像を表示部１１０に表示中に、人感センサ部１０１が視聴者の不在を検出した場合は、ＣＰＵ１０５により表示部１１０への映像の表示を停止するように動作させることにより、無駄な電力が消費されることを防ぐことができる。また、記録部１０４に保存されている番組コンテンツを再生して表示部１１０に表示しているときに、人感センサ部１０１が視聴者の不在を検出した場合、再生を一時停止させ、視聴者が戻ってきたことを検出した場合は、再生を再開させるようにＣＰＵ１０５によって記録部１０４を制御することにより、無駄な電力が消費されることを防ぐことと、使い勝手の向上を図ることができる。ここで、視聴者が不在になったときに映像表示を停止、あるいは再生を一時停止するような所定モードのことを、以下では「視聴者不在モード」（または不在モード）という。
【００２２】
人感センサ部１０１に用いられるセンサは、電子部品であるため、使用しているうちに故障することが考えられる。人感センサ部１０１が故障した時には、常に信号波形が出力される状態が継続する場合と、常に信号波形が出力されない状態が継続する場合の２通りが考えられる。常に信号波形が出力される状態が継続する故障の場合は、視聴者が不在になっても信号波形が出力され続けるため、視聴者が不在になったことを検出することができない。しかし、この場合は、視聴者が不在になっても、視聴者不在モードに移行しないだけであり、一般的な映像表示装置と変わらないので、通常使用は継続することができる。しかし、常に信号波形が出力されない状態が継続する故障の場合は、視聴者が存在しているにもかかわらず視聴者不在と誤判定し、視聴者不在モードに移行してしまうため、例えば視聴者が存在するにも関わらず映像が表示されない等、映像表示装置の使用に支障がでてしまう。従来では、人感センサ部１０１の故障については考慮されていないため、人感センサ部１０１が故障した場合は上述のような支障が生じる可能性がある。そこで、本実施例に係る映像表示装置１００は、人感センサ部１０１の故障を判定或いは診断し、人感センサ部１０１の故障が生じた場合は視聴者不在モードへの移行を防止することを特徴とするものである。かかる本実施例の特徴について、以下に詳述する。
【００２３】
図２は、ＣＰＵ１０５によって実行される、実施例１に係る映像表示装置における人感センサ部１０１の故障診断及び診断結果に基づく映像表示装置の制御処理のフローチャートを示す図である。本処理は、映像表示装置１００が起動したときから開始されるものであり、本処理における図２の各ステップ（以下「Ｓ」と略記）は、ＣＰＵ１０５によって実行される。
【００２４】
まず、Ｓ２０１により、人感センサ部１０１からのセンサ値（出力値）を読み出す。次にＳ２０２により、Ｓ２０１で読み出したセンサ値をメモリ１０６にバッファとして一定量（例えば０．１秒〜数秒分）記憶させる。次にＳ２０３により、Ｓ２０２に記憶されたセンサ値を読み出し、この読み出されたセンサ値に対してフーリエ変換を行い、センサ値の周波数成分を算出する。
【００２５】
続いてＳ２０４、Ｓ２０５により、Ｓ２０３で周波数成分に変換されたデータの判定を行う。まず、Ｓ２０４にて周波数が０（センサ出力なし）かどうかを判定する。周波数が０でない場合はＳ２０５に進み、周波数が０の場合はＳ２０６に進む。周波数が０で無い場合は、Ｓ２０５にて、周波数が異常周波数かを判定する。異常周波数とは、センサ値の周波数成分に高周波数の成分が所定値以上存在しているかによって判断する。ここでいう所定値とは、通常の人体の動きでは実現できない周波数より大きい値を設定する。すなわち、通常の人間の動きでは実現できないような高周波成分がある場合は、人感センサ部１０１が故障している場合である。よって、Ｓ２０５にて異常周波数と判定された場合はＳ２０７に進み、人感センサ部１０１が故障していると判断する。
【００２６】
Ｓ２０５にて異常周波数が認められない場合は、人感センサ部１０１から出力されているセンサ値は、視聴者の動きによる出力と考えられるため、正常と判断しＳ２０１にもどる。
【００２７】
一方、Ｓ２０４で周波成分が０と認められた場合は、Ｓ２０６にて、視聴者（ユーザ）による操作があったか、すなわち操作受付があったどうかを確認する。ここで操作受付とは、操作部１０２のボタンに対する操作によって発生した信号や、リモコン受信部１０３からのリモコン信号をＣＰＵ１０５が受けたことを指すものである。Ｓ２０６にて操作受付があった場合は、操作部１０２やリモコン受信部１０３から入力があるということであり、それは映像表示装置１００の近傍に操作している人（視聴者）が存在するということである。すなわち、センサ値の周波数が０で、かつ操作受付がある場合は、映像表示装置１００近傍の視聴者を人感センサ部１０１が検出できていない、つまり人感センサ部１０１が故障しているということである。したがって、Ｓ２０６にて操作受付がある（Ｙｅｓ）と判定された場合は、Ｓ２０７に進み人感センサ部１０１が故障していると判定される。次にＳ２０８に進み、ＯＳＤ作成部１０９で人感センサ部１０１が故障した旨のメッセージを作成させ、表示部１１０に表示させる。続いてＳ２０９に進み、以降は人感センサ部１０１のセンサ出力の検出を停止させ、本処理を終了する。従って、ＣＰＵ１０５は、人感センサ部１０１の故障を判断した場合、それ以降は、Ｓ２０１以降の処理を行わないようにし、また人感センサ部１０１を用いたこれ以外の処理も行わないようにする、すなわち、本実施例では、ＣＰＵ１０５は、人感センサ部１０１の故障が生じた場合は視聴者不在モードへの移行を防止するように制御するものである。
【００２８】
Ｓ２０６にて操作受付が無い（Ｎｏ）場合は、人感センサ部１０１が正常に動作している（故障していない）と判定して、Ｓ２１０に進みこの状態が所定時間（例えば１０秒程度）以上連続しているかを判断する。所定時間以下である場合はＳ２０１に戻る。すなわち、人感センサ部１０１のセンサ値の周波数が０で操作受付がない場合は、Ｓ２０１、Ｓ２０２、Ｓ２０３、Ｓ２０４、Ｓ２０６、Ｓ２１０を繰り返すことになる。Ｓ２１０にて操作受付の無い状態が所定時間以上連続したと判断されたときは、視聴者が不在となったと判断でき、Ｓ２１１に進み視聴者不在モードに移行する。
【００２９】
視聴者不在モード移行後は、Ｓ２１２にて再度人感センサ部１０１よりセンサ値を読み出す。読み出したセンサ値をＳ２１３にてメモリ１０６にバッファとして一定量記憶させる。次にＳ２１４により、Ｓ２１３で記憶されたセンサ値を読み出してフーリエ変換行い、センサ値の周波数成分を算出する。Ｓ２１２、Ｓ２１３、Ｓ２１４は、Ｓ２０１、Ｓ２０２、Ｓ２０３と同じ動作である。
【００３０】
そしてＳ２１５にて、Ｓ２１４で算出した周波数が０かを判定する。０（Ｙｅｓ）であれば、視聴者は不在の状態が継続しているのでＳ２１２に戻る。以降、Ｓ２１２、Ｓ２１３、Ｓ２１４、Ｓ２１５を繰り返す。Ｓ２１５にて、周波数成分が０でない（Ｎｏ）と判定された場合は、視聴者が戻ってきたということなので、Ｓ２１６にて不在モードを解除し、本処理の最初のＳ２０１にもどる。
【００３１】
映像表示装置１００の起動時のチャンネル、音量などは、前回終了時と同じ状態となっている。このため、ほとんどの視聴者は、映像表示装置１００を起動後に、チャンネル変更、音量変更などの操作を行う。本処理は、映像表示装置１００の起動と同時に開始されるため、人感センサ部１０１のセンサ値が周波数０となる故障の場合においても、起動直後の視聴者のチャンネル変更、音量変更などの操作時に、人感センサ部１０１が故障していることを検出でき、視聴者が存在するにもかかわらず視聴者不在モードに移行することはない。
【００３２】
上記では、Ｓ２０８にて故障に関するメッセージを表示部１１０に表示しているが、これに限定されるものではない。ＣＰＵ１０５は、人感センサ部１０１の故障を判定した場合には、例えば表示部１１０の周辺に設けられたＬＥＤなどの発光部の点灯を制御するようにしてもよい。例えば、人感センサ部１０１が故障した場合はＬＥＤを点滅させてもよい。また、Ｓ２０８のステップを省略してもよい。これは、人感センサ部１０１によって視聴者の不在を検出して、映像表示装置を不在モードに移行させる機能は、無駄な電力消費を低減するための機能であり、人感センサ部１０１が故障しても不在モードに移行しないだけであり、視聴者にあえて人感センサ部１０１の故障を通知しなくても通常使用には何ら問題は無いからである。
【００３３】
また、人感センサ部１０１により視聴者不在モードに移行する処理（以下、「視聴者不在動作」と呼ぶ）を行うか否かを、映像表示装置１００の初期設定段階等において視聴者により選択できるようにしてもよい。この選択は、例えばＯＳＤ作成部１０９で作成されたメニュー画面により行われる。この場合において、上記図２の処理で人感センサ部１０１が故障したと判定された場合は視聴者不在動作を選択できないようにするとともに、メニュー画面上の節電動作を選択するためのアイテムの輝度を暗くして表示するようにしてもよい。
【００３４】
更にまた、Ｓ２０７における故障判断結果を記録部１０４に記録しておき、故障の疑いがある日時をＯＳＤ作成部１０９で提示することも出来る、これにより、故障を検出した際の発生時刻を記録部１０４にて記録し、アフターサービス、故障の原因特定に役立てることも出来る。
【００３５】
図３は、本実施例の映像表示装置１００における視聴者不在モードの処理の一例を示す図である。視聴者不在モードに移行したとき、映像表示装置１００は、Ｓ３０１にて映像の出力を停止し、Ｓ３０２にて音声の出力を停止する。さらに、Ｓ３０３にて待機モードに移行し処理を終了する。ここで、待機モードとは、人感センサ部１０１に関係する部分は起動させておいて、人感センサ部１０１に関係しない部分の電源を切ることにより、無駄な電力消費を抑えるものである。Ｓ３０１、Ｓ３０２、Ｓ３０３は、短時間で続けて処理を行ってもよいし、各ステップの間に所定時間（例えば５〜１０秒程度）を設けてもよい。なお、本処理は、図２のＳ２１１において不在モードに移行したとき、Ｓ２１２からＳ２１５の処理と平行して、映像表示装置１００において行われるものである。また、本処理は視聴者不在モードの処理の一例であり、これに限定されるものではなく、記録部１０４に記録されている映像コンテンツを再生中の場合は、再生を一時停止するようにしてもよい。
【００３６】
以上、本実施例によれば、人感センサ部により視聴者の不在を検出して視聴者不在モードに移行するよう構成された映像表示装置において、人感センサ部の故障によって視聴者が映像コンテンツの視聴中に不在モードに移行することを防止することができる。よって、人感センサ部を利用した映像表示装置の使い勝手を大きく向上させることができる。
【実施例２】
【００３７】
上記実施例１の処理方法では、視聴者不在モード中に人感センサ部１０１が故障（常に信号波形が出力されない状態が継続する故障）した場合は、で視聴者不在モードを解除できない恐れがある。これを防止すべく、実施例２では、図２のフローチャートのＳ２１５でＹｅｓと判定された後に操作受付の有無を判定するＳ４０１を設けたものである。
【００３８】
すなわち、Ｓ２１５で人感センサ部１０１からのセンサ値の周波数が０と判定された場合はＳ４０１に進み、Ｓ４０１においてＳ２１２〜Ｓ２１５の間で操作受付があったか否かを判定する。操作受付が無い（Ｎｏ）場合はＳ２１２に戻り、一方、操作受付があった（Ｙｅｓ）場合はＳ４０２に進んで視聴者不在モードを解除した後にＳ２０７へ進んで人感センサ部１０１の故障を判定する。これ以外の処理は図２で説明したものと同じであるため説明は省略する。
【００３９】
このように構成すれば、視聴者不在モード中に人感センサ部１０１が故障した場合でもリモコン等による操作受付があれば視聴者不在モードを解除して人感センサ部１０１の故障を判断することができる。この実施例では、Ｓ４０１で操作受付があった場合はＳ４０２に進んで視聴者不在モードを解除して人感センサ部１０１の故障判断したが、Ｓ４０１で操作受付があった場合はＳ２１６に進んで、ここで視聴者不在モードを解除してもよい。この場合、Ｓ２０１〜Ｓ２０４、Ｓ２０６、Ｓ２１０のループの中で再び操作受付があった場合にＳ２０７へ進んで人感センサ部１０１の故障が判断されることになる。
【００４０】
以上、本発明の実施形態を説明したが、本発明は上述した実施例に限られるものではなく、様々な変更や変形を許容できるものである。例えば、映像表示装置の電源ＯＮからＳ２０１〜Ｓ２０４、Ｓ２０６、Ｓ２１０のループの中で操作受付が一回も無かった場合はＳ２１１に進まないようにしてもよい。このように構成することによって、人感センサ部１０１が故障している場合において、映像表示装置１００が起動してから視聴者が一度もリモコンなどの操作を行わなかった場合においても、視聴者が視聴中に不在モードに移行することを防止することができる。
【符号の説明】
【００４１】
１００  映像表示装置
１０１  人感センサ部
１０２  操作部
１０３  リモコン受信部
１０４  記録部
１０５  ＣＰＵ
１０６  メモリ
１０７  チューナー
１０８  映像処理部
１０９  ＯＳＤ作成部
１１０  表示部
【図１】
0005758699.tif 000002
【図２】
0005758699.tif 000003
【図３】
0005758699.tif 000004
【図４】
0005758699.tif 000005